(57)【要約】      （修正有）【課題】ページレイアウト文書データと、そのリンクファイルとを、データベースに登録するための正規化作業を、なるべく人手を使わずに行う。【解決手段】指定されたページレイアウト文書データに対して、所定の情報が埋め込まれている構成要素を削除し、  削除後のページレイアウト文書データから、個々のページを表すファイルを所定のデータ形式で作成し、、  指定されたページレイアウト文書データから、各ページごとにリンクファイルの保存場所とファイル名とレイアウト情報とを読み出し、  リンクファイルの実データを探し出し、  リンクファイルのファイル名を所定の規定に従ってリネームしながら、その実データを所定のデータ形式に変換し、  実データに対して、レイアウト情報に従った加工を行い、  個々のページごとに、ページを表すファイルの名称と、各リンクファイルごとのリネーム前後の名称とを関連付けるテキストファイルを作成するシステム。【選択図】図６
2006268634.tif 000002
【特許請求の範囲】
【請求項１】
ページレイアウト文書データを指定させる機能と、
指定されたページレイアウト文書データに対して、各構成要素に所定の情報が埋め込まれているか否かを確かめ、所定の情報が埋め込まれている構成要素を、削除するものと判断して削除する機能と、
所定の情報が埋め込まれている構成要素を削除したページレイアウト文書データから、１ページごとに、個々のページを表すファイルを所定のデータ形式で作成する機能と、
指定されたページレイアウト文書データから、各ページごとに配置されているリンクファイルの保存場所とファイル名とレイアウト情報とを読み出す機能と、
読み出したリンクファイルの保存場所とファイル名とにより、リンクファイルの実データを探し出す機能と、
実データを探し出したリンクファイルのファイル名を所定の規定に従ってリネームしながら、その実データを所定のデータ形式に変換する機能と、
探し出したリンクファイルの実データに対して、読み出したレイアウト情報に従った加工を行う機能と、
個々のページごとに、ページを表すファイルの名称と、各リンクファイルごとのリネーム前後の名称とを関連付けるテキストファイルを作成する機能とを有することを特徴とする自動正規化システム。
【請求項２】
ページレイアウト文書データと、リンクファイルの実データ群とをデータ圧縮して１つのファイルにまとめる機能と、
ページを表すファイルと、読み出したレイアウト情報に従った加工を行ったリンクファイルの実データと、テキストファイルとをデータ圧縮して１つのファイルにまとめる機能とを有することを特徴とする請求項１に記載の自動正規化システム。
【請求項３】
コンピュータが実行する方法であって、
ページレイアウト文書データを指定させる工程と、
指定されたページレイアウト文書データに対して、各構成要素に所定の情報が埋め込まれているか否かを確かめ、所定の情報が埋め込まれている構成要素を、削除するものと判断して削除する工程と、
所定の情報が埋め込まれている構成要素を削除したページレイアウト文書データから、１ページごとに、個々のページを表すファイルを所定のデータ形式で作成する工程と、
指定されたページレイアウト文書データから、各ページごとに配置されているリンクファイルの保存場所とファイル名とレイアウト情報とを読み出す工程と、
読み出したリンクファイルの保存場所とファイル名とにより、リンクファイルの実データを探し出す工程と、
実データを探し出したリンクファイルのファイル名を所定の規定に従ってリネームしながら、その実データを所定のデータ形式に変換する工程と、
探し出したリンクファイルの実データに対して、読み出したレイアウト情報に従った加工を行う工程と、
個々のページごとに、ページを表すファイルの名称と、各リンクファイルごとのリネーム前後の名称とを関連付けるテキストファイルを作成する工程とを含むことを特徴とする自動正規化方法。
【請求項４】
ページレイアウト文書データと、リンクファイルの実データ群とをデータ圧縮して１つのファイルにまとめる工程と、
ページを表すファイルと、読み出したレイアウト情報に従った加工を行ったリンクファイルの実データと、テキストファイルとをデータ圧縮して１つのファイルにまとめる工程とを含むことを特徴とする請求項３に記載の自動正規化方法。
【請求項５】
コンピュータに、
ページレイアウト文書データを指定させる工程と、
指定されたページレイアウト文書データに対して、各構成要素に所定の情報が埋め込まれているか否かを確かめ、所定の情報が埋め込まれている構成要素を、削除するものと判断して削除する工程と、
所定の情報が埋め込まれている構成要素を削除したページレイアウト文書データから、１ページごとに、個々のページを表すファイルを所定のデータ形式で作成する工程と、
指定されたページレイアウト文書データから、各ページごとに配置されているリンクファイルの保存場所とファイル名とレイアウト情報とを読み出す工程と、
読み出したリンクファイルの保存場所とファイル名とにより、リンクファイルの実データを探し出す工程と、
実データを探し出したリンクファイルのファイル名を所定の規定に従ってリネームしながら、その実データを所定のデータ形式に変換する工程と、
探し出したリンクファイルの実データに対して、読み出したレイアウト情報に従った加工を行う工程と、
個々のページごとに、ページを表すファイルの名称と、各リンクファイルごとのリネーム前後の名称とを関連付けるテキストファイルを作成する工程とを実行させることを特徴とする自動正規化プログラム。
【請求項６】
ページレイアウト文書データと、リンクファイルの実データ群とをデータ圧縮して１つのファイルにまとめる工程と、
ページを表すファイルと、読み出したレイアウト情報に従った加工を行ったリンクファイルの実データと、テキストファイルとをデータ圧縮して１つのファイルにまとめる工程とを実行させることを特徴とする請求項５に記載の自動正規化プログラム。
【請求項７】
請求項５又は６に記載の自動正規化プログラムを記録した記録媒体。
【発明の詳細な説明】
【技術分野】
【０００１】
本発明は、ページレイアウト文書データと、それにリンクされているファイルとを、データベースに登録するために、正規化する技術に関する。
【背景技術】
【０００２】
一般に、ページレイアウト文書データとは、ページレイアウト文書作成アプリケーションソフトウェアを用いてコンピュータで作成されたものであって、画面に出力される文字や画像そして図形などの構成要素データすべてと、構成要素それぞれの体裁情報（配置位置など）を持つデータを云う。ただし、図１に示すように、ページレイアウト文書データには、各ページに配置されている画像ファイルや図形ファイルなどの実データは格納されておらず、それら実データが保存されているフォルダ名（保存場所）とファイル名と、さらにはレイアウト情報のみ記述されている。このようなファイルをリンクファイルと呼び、各リンクファイルごとのフォルダ名とファイル名をリンク情報と呼ぶ。レイアウト情報とは、ページレイアウト文書データ上で実際に見えるリンクファイルの領域を表すデータを得るための情報であって、図２に示すように、例えば、リンクファイルの変倍率、回転角度、トリミング位置、トリミングサイズなどがある。
【０００３】
また一般に、ページレイアウト文書データは、ページレイアウト文書データ制作上でのみ必要な構成要素を含む。このページレイアウト文書データ制作上でのみ必要な構成要素には、例えば、図３に示すような、印刷物断裁用のトンボやレイアウト制作の作業性を高める余白部分、レイアウト位置を定めるためのガイドラインなどがある。
【０００４】
従来、ページレイアウト文書作成アプリケーションで、ページレイアウト文書データを作成した後、ページレイアウト文書データと、それにリンクされているファイルとを、一般の利用者に利用して貰うことを目的として、データベースに登録するための正規化作業を、人が手動オペレーションで行っていた。この正規化作業には、例えば、ページレイアウト文書データ加工、リンクファイル加工などがある。以下に、各作業を行うオペレーションの手順の例を、説明する。
【０００５】
まず、ページレイアウト文書データ加工を行うオペレーションの手順の例を、以下に説明する。
【０００６】
（ａ−１）ページレイアウト文書データより、ページレイアウト文書データ制作上でのみ必要な構成要素を削除する。何故なら、この構成要素は、ページレイアウト文書データの制作者にのみ必要なため、一般の利用者に利用して貰うことを目的とする場合、この構成要素を削除する必要があるからである。
【０００７】
（ａ−２）不要構成要素を削除したページレイアウト文書データに対して、利便性の優先度が高いデータ形式にデータ変換する。利便性の優先度が高いデータ形式とは、コンピュータを利用しているほとんどの人が使用できるアプリケーションで表示できるものを云う。例えば、ＪＰＥＧやＰＤＦなどのデータ形式がある。以後、利便性の優先度が高いデータ形式と云う言葉を、この意味で用いる。
【０００８】
次に、リンクファイル加工を行うオペレーションの例を、以下に説明する。
【０００９】
（ｂ−１）ページレイアウトデータ内に格納されているリンク情報とレイアウト情報を
取り出す。
【００１０】
（ｂ−２）取り出したリンク情報よりリンクファイルの実データを探し出す。
【００１１】
（ｂ−３）探し出したリンクファイルの実データに対して、ファイル名の変更を行いながら、利便性の優先度が高いデータ形式にデータ変換する。このファイル名の変更は、データベースで実データを管理する上で元のリンクファイル名は重複している可能性があり、そうなるとデータベースの整合性があわなくなるため、固有性を確保するために行う。
【００１２】
（ｂ−４）リンクファイルの実データに対して、（ｂ−１）で取り出したレイアウト情報に従って、変倍、回転、トリミング（切り出し）などのデータ加工を行って、ページレイアウト文書データ上で実際に見えるリンクファイルの領域を表すデータを得る。
【００１３】
（ｂ−５）ページレイアウト文書データのファイル名と、リンクファイルの変更前後のファイル名の一覧とを、テキストデータとして保存する。このテキストデータは、データベースに入力する際のページレイアウト文書データとリンクファイルとの関連付けに使用する。
【００１４】
このように、各作業のオペレーションは、複雑であり、大量のデータを人による手動オペレーションで処理するため、
・人が手動オペレーションを修得する必要がある、
・手動オペレーションで誤りが発生する、
・手動オペレーションにかかる人的コストが多大になる、
という問題があった。
【００１５】
また、各作業のオペレーションは、作業者が目視で確認しながら行うために、負荷が非常に高いという問題もあった。
【発明の開示】
【発明が解決しようとする課題】
【００１６】
本発明は係る背景技術に鑑みてなされたもので、ページレイアウト文書データと、そのリンクファイルとを、データベースに登録するための正規化作業を、なるべく人手を使わずに行うことを課題とする。
【課題を解決するための手段】
【００１７】
本発明において上記課題を達成するために、まず請求項１の発明では、ページレイアウト文書データを指定させる機能と、
指定されたページレイアウト文書データに対して、各構成要素に所定の情報が埋め込まれているか否かを確かめ、所定の情報が埋め込まれている構成要素を、削除するものと判断して削除する機能と、
所定の情報が埋め込まれている構成要素を削除したページレイアウト文書データから、１ページごとに、個々のページを表すファイルを所定のデータ形式で作成する機能と、
指定されたページレイアウト文書データから、各ページごとに配置されているリンクファイルの保存場所とファイル名とレイアウト情報とを読み出す機能と、
読み出したリンクファイルの保存場所とファイル名とにより、リンクファイルの実データを探し出す機能と、
実データを探し出したリンクファイルのファイル名を所定の規定に従ってリネームしながら、その実データを所定のデータ形式に変換する機能と、
探し出したリンクファイルの実データに対して、読み出したレイアウト情報に従った加工を行う機能と、
個々のページごとに、ページを表すファイルの名称と、各リンクファイルごとのリネーム前後の名称とを関連付けるテキストファイルを作成する機能とを有することを特徴とする自動正規化システムとしたものである。
【００１８】
また請求項２の発明では、ページレイアウト文書データと、リンクファイルの実データ群とをデータ圧縮して１つのファイルにまとめる機能と、
ページを表すファイルと、読み出したレイアウト情報に従った加工を行ったリンクファイルの実データと、テキストファイルとをデータ圧縮して１つのファイルにまとめる機能とを有することを特徴とする請求項１に記載の自動正規化システムとしたものである。
【００１９】
また請求項３の発明では、コンピュータが実行する方法であって、
ページレイアウト文書データを指定させる工程と、
指定されたページレイアウト文書データに対して、各構成要素に所定の情報が埋め込まれているか否かを確かめ、所定の情報が埋め込まれている構成要素を、削除するものと判断して削除する工程と、
所定の情報が埋め込まれている構成要素を削除したページレイアウト文書データから、１ページごとに、個々のページを表すファイルを所定のデータ形式で作成する工程と、
指定されたページレイアウト文書データから、各ページごとに配置されているリンクファイルの保存場所とファイル名とレイアウト情報とを読み出す工程と、
読み出したリンクファイルの保存場所とファイル名とにより、リンクファイルの実データを探し出す工程と、
実データを探し出したリンクファイルのファイル名を所定の規定に従ってリネームしながら、その実データを所定のデータ形式に変換する工程と、
探し出したリンクファイルの実データに対して、読み出したレイアウト情報に従った加工を行う工程と、
個々のページごとに、ページを表すファイルの名称と、各リンクファイルごとのリネーム前後の名称とを関連付けるテキストファイルを作成する工程とを含むことを特徴とする自動正規化方法としたものである。
【００２０】
また請求項４の発明では、ページレイアウト文書データと、リンクファイルの実データ群とをデータ圧縮して１つのファイルにまとめる工程と、
ページを表すファイルと、読み出したレイアウト情報に従った加工を行ったリンクファイルの実データと、テキストファイルとをデータ圧縮して１つのファイルにまとめる工程とを含むことを特徴とする請求項３に記載の自動正規化方法としたものである。
【００２１】
また請求項５の発明では、コンピュータに、
ページレイアウト文書データを指定させる工程と、
指定されたページレイアウト文書データに対して、各構成要素に所定の情報が埋め込まれているか否かを確かめ、所定の情報が埋め込まれている構成要素を、削除するものと判断して削除する工程と、
所定の情報が埋め込まれている構成要素を削除したページレイアウト文書データから、１ページごとに、個々のページを表すファイルを所定のデータ形式で作成する工程と、
指定されたページレイアウト文書データから、各ページごとに配置されているリンクファイルの保存場所とファイル名とレイアウト情報とを読み出す工程と、
読み出したリンクファイルの保存場所とファイル名とにより、リンクファイルの実データを探し出す工程と、
実データを探し出したリンクファイルのファイル名を所定の規定に従ってリネームしながら、その実データを所定のデータ形式に変換する工程と、
探し出したリンクファイルの実データに対して、読み出したレイアウト情報に従った加工を行う工程と、
個々のページごとに、ページを表すファイルの名称と、各リンクファイルごとのリネーム前後の名称とを関連付けるテキストファイルを作成する工程とを実行させることを特徴とする自動正規化プログラムとしたものである。
【００２２】
また請求項６の発明では、ページレイアウト文書データと、リンクファイルの実データ群とをデータ圧縮して１つのファイルにまとめる工程と、
ページを表すファイルと、読み出したレイアウト情報に従った加工を行ったリンクファイルの実データと、テキストファイルとをデータ圧縮して１つのファイルにまとめる工程とを実行させることを特徴とする請求項５に記載の自動正規化プログラムとしたものである。
【００２３】
また請求項７の発明では、請求項５又は６に記載の自動正規化プログラムを記録した記録媒体としたものである。
【発明の効果】
【００２４】
請求項１、３、５、及び請求項５を引用する請求項７の発明では、ユーザが、データベースに登録するための正規化を行いたいと思うページレイアウト文書データを指定するたけで、指定されたページレイアウト文書データと、そのリンクファイルとに対して、この正規化を自動的に行えるという効果がある。
【００２５】
請求項２、４、６、及び請求項６を引用する請求項７の発明では、請求項１、３、５、及び請求項５を引用する請求項７の発明の効果に加えて、ページレイアウト文書データと、リンクファイルの実データ群とをデータ圧縮して１つのファイルにまとめるため、ページレイアウト文書データと、リンクファイルの実データ群とを、ひとつの表現媒体として容易に取り扱うことができるという効果もある。同様に、ページを表すファイルと、読み出したレイアウト情報に従った加工を行ったリンクファイルの実データと、テキストファイルとをデータ圧縮して１つのファイルにまとめるため、ページを表すファイルと、読み出したレイアウト情報に従った加工を行ったリンクファイルの実データと、テキストファイルとを、ひとつの表現媒体として容易に取り扱うことができるという効果もある。
【００２６】
以上、本発明は、ページレイアウト文書データと、そのリンクファイルとを、データベースに登録するための正規化作業を、なるべく人手を使わずに行えるという効果がある。
【発明を実施するための最良の形態】
【００２７】
以下に、本発明の最良の一実施形態を説明する。
【００２８】
１．構成
本発明の自動正規化プログラムを実行するコンピュータは、例えば、図４に示すように、中央処理装置と、主記憶装置と、補助記憶装置と、入力装置と、表示装置と、記憶媒体装置とを備え、それら装置がバスで接続されているものである。このコンピュータが、本発明の自動正規化プログラムを実行することにより、このコンピュータに、本発明の自動正規化システムが実現される。
【００２９】
記憶媒体装置は、着脱可能な記憶媒体（メディア）からのデータの読み出しを制御する装置である。記憶媒体装置は、着脱可能な記憶媒体へのデータの書き込みを制御しても良い。着脱可能な記憶媒体の例としては、磁気テープ、フレキシブルディスク、ＣＤ−ＲＯＭ、ＣＤ−Ｒ、ＭＯなどが挙げられる。
【００３０】
表示装置は、ＣＲＴ（Ｃａｔｈｏｄｅ  Ｒａｙ  Ｔｕｂｅ）ディスプレイや液晶ディスプレイなど、情報（データ）を表示する装置である。
【００３１】
入力装置は、マウスやキーボードなど、データを入力する装置である。
【００３２】
補助記憶装置は、ハードディスクなど、データやプログラムを記憶する不揮発性の記憶装置である。このプログラムには、少なくとも、ページレイアウト文書作成アプリケーションソフトウェアと、画像処理アプリケーションソフトウェアと、本発明の自動正規化プログラムとがある。各プログラムは、補助記憶装置から主記憶装置にロードされて、中央処理装置によって実行される。
【００３３】
データベースに登録するための正規化の対象となる、ページレイアウト文書データと、それにリンクされているファイルとは、記録媒体に記録されていても良いし、或は、補助記憶装置に記憶されていても良い。
【００３４】
ページレイアウト文書データは、ページレイアウト文書作成アプリケーションソフトウェアを用いてコンピュータで作成されたものであって、画面に出力される文字や画像そして図形などの構成要素データすべてと、構成要素それぞれの体裁情報（配置位置など）を持つデータである。ページレイアウト文書データのデータフォーマットの形式は、良く用いられるものとして、例えば、ＱｕａｒｋＸＰｒｅｓｓドキュメントデータ、Ａｄｏｂｅ
ＩｎＤｅｓｉｇｎドキュメント、Ａｄｏｂｅ  Ｉｌｌｕｓｔｒａｔｏｒファイルなどがあるが、特に限定されるものでは無く、他の形式として、例えば、一般のワープロ文書、ＨＴＭＬ、ＸＭＬなどであっても良い。
【００３５】
本発明の自動正規化システムでは、隠しデータに用いられる情報が取り決められている。隠しデータに用いられるとして取り決められている情報を、所定の情報と云うことにする。
【００３６】
ページレイアウト文書データには、その制作上でのみ必要で、ページレイアウト文書加工に際して削除する構成要素に対して、所定の情報が埋め込まれている。この所定の情報の埋め込みは、ページレイアウト文書データの作成時、ページレイアウト文書データ作成アプリケーションソフトウェアが標準的にコンピュータに実現する機能を利用して、制作者が行う。本発明の自動正規化システムは、ページレイアウト文書データ作成アプリケーションソフトウェアが標準的にコンピュータに実現する機能を利用して、ページレイアウト文書データに対して、各構成要素から所定の情報が読み取れるか否かにより、各構成要素に所定の情報が埋め込まれているか否かを確かめ、所定の情報が埋め込まれている構成要素を、削除するものと判断して削除する。
【００３７】
また本発明の自動正規化システムでは、利便性の優先度が高いデータ形式が取り決められている。利便性の優先度が高いデータ形式として取り決められているデータ形式のことを、所定のデータ形式と云うことにする。利便性の優先度が高いデータ形式とは、上述のように、コンピュータを利用しているほとんどの人が使用できるアプリケーションで表示できるものを云う。例えば、ＪＰＥＧやＰＤＦなどのデータ形式がある。
【００３８】
所定の情報が埋め込まれている構成要素を削除したページレイアウト文書データから、１ページごとに、個々のページを表すファイルを所定のデータ形式で作成する際の所定のデータ形式と、リンクファイルの実データを所定のデータ形式に変換する際の所定のデータ形式とは、異なっても良いし、同じでも良い。例えば、個々のページを表すファイルをＰＤＦのデータ形式で作成し、リンクファイルの実データをＪＰＥＧに変換しても良い。
【００３９】
また本発明の自動正規化システムでは、リンクファイルのファイル名をリネームする規定が取り決められている。リンクファイルのファイル名をリネームする規定として取り決
められている規定のことを、所定の規定と云うことにする。所定の規定は、ファイル名の重複を防ぐものであれば良く、例えば、元のファイル名に、任意の桁数の枝番号を付加するものでも良い。
【００４０】
２．処理
ここで、コンピュータが本発明の自動正規化プログラムを実行することでなされる処理の流れの例を、以下のＳＴＥＰ１〜１１の順に説明する。
【００４１】
Ｓ（ＳＴＥＰ）１；
ユーザは、コンピュータにて、コンピュータの備える入力装置を用いて、記録媒体や補助記憶装置に保存されているページレイアウト文書データの内、正規化しようと思うものを、１つ以上選択する。
【００４２】
Ｓ（ＳＴＥＰ）２；
コンピュータは、ページレイアウト文書データ作成アプリケーションソフトウェアが標準的にコンピュータに実現する機能を利用して、ＳＴＥＰ１でユーザに選択されたページレイアウト文書データに対して、各構成要素から所定の情報が読み取れるか否かにより、各構成要素に所定の情報が埋め込まれているか否かを確かめ、所定の情報が埋め込まれている構成要素を、削除するものと判断して削除する。
【００４３】
Ｓ（ＳＴＥＰ）３；
コンピュータは、ＳＴＥＰ１でユーザに選択され、ＳＴＥＰ２で所定の情報が埋め込まれている構成要素を削除したページレイアウト文書データから、１ページごとに、個々のページを表すファイルを所定のデータ形式で作成して補助記憶装置に保存する。
【００４４】
Ｓ（ＳＴＥＰ）４；
コンピュータは、ＳＴＥＰ１でユーザに選択されたページレイアウト文書データのファイル名と拡張子以外は同じファイル名を持ち、各ページごとのファイル名とデータ形式とページ番号とを格納するテキストファイルを作成して補助記憶装置に保存する。図５に、このテキストファイルの例を示す。図５のテキストファイルは、図３に示すページレイアウト文書データについて、各ページごとのファイル名とデータ形式とページ番号とを格納したものである。
【００４５】
Ｓ（ＳＴＥＰ）５；
コンピュータは、ページレイアウト文書データ作成アプリケーションソフトウェアが標準的にコンピュータに実現する機能を利用して、ＳＴＥＰ１でユーザに選択されたページレイアウト文書データに対して、各ページごとに配置されているリンクファイルの保存場所とファイル名とレイアウト情報とを読み出す。
【００４６】
Ｓ（ＳＴＥＰ）６；
コンピュータは、ＳＴＥＰ４で読み出したリンクファイルの保存場所とファイル名とにより、リンクファイルの実データを探し出す。
【００４７】
Ｓ（ＳＴＥＰ）７；
コンピュータは、ＳＴＥＰ５で実データを探し出したリンクファイルのファイル名を、所定の規定に従ってリネームしながら、ＳＴＥＰ５で探し出したリンクファイルの実データを所定のデータ形式にデータ変換する。
【００４８】
Ｓ（ＳＴＥＰ）８；
コンピュータは、画像処理アプリケーションソフトウェアがコンピュータに実現する機
能を利用して、ＳＴＥＰ５で探し出したリンクファイルの実データに対して、ＳＴＥＰ４で読み出したレイアウト情報に従って、変倍、回転、トリミング（切り出し）の加工を実行する。
【００４９】
Ｓ（ＳＴＥＰ）９；
コンピュータは、ＳＴＥＰ１でユーザに選択されたページレイアウト文書データに対して、１ページごとに、ＳＴＥＰ３で作成したページのファイル名と拡張子以外は同じファイル名を持ち、各リンクファイルごとのリネーム前の名称とリネーム後の名称とリネーム後のデータ形式とを格納するテキストファイルを作成して補助記憶装置に保存する。図６に、このテキストファイルの例を示す。図６のテキストファイルは、図３に示すページレイアウト文書データの第１ページについて、各リンクファイルごとのリネーム前の名称とリネーム後の名称とリネーム後のデータ形式とを格納したものである。
【００５０】
Ｓ（ＳＴＥＰ）１０；
コンピュータは、ＳＴＥＰ１でユーザに選択されたページレイアウト文書データごとに、ページレイアウト文書データと、リンクファイルの実データ群とをデータ圧縮して１つのファイルにまとめ補助記憶装置に保存する。
【００５１】
Ｓ（ＳＴＥＰ）１１；
コンピュータは、ＳＴＥＰ１でユーザに選択されたページレイアウト文書データの、ＳＴＥＰ３で作成した各ページのファイルごとに、ページのファイルと、ＳＴＥＰ７で加工されたリンクファイルの実データと、ＳＴＥＰ９で作成されたテキストファイルとを、データ圧縮して１つのファイルにまとめ補助記憶装置に保存する。
【００５２】
尚、ＳＴＥＰ１０とＳＴＥＰ１１の処理は、それぞれ、ユーザが設定した場合のみ、実行されるようにしても良い。
【図面の簡単な説明】
【００５３】
【図１】リンク情報を説明する図。
【図２】レイアウト情報を説明する図。
【図３】画面に出力されたページレイアウト文書データの例を示す図。
【図４】本発明の自動正規化システムを実現するコンピュータのハードウェア構成例を示す図。
【図５】ページレイアウト文書データについて、各ページごとのファイル名と、データ形式と、ページ番号とを格納したテキストファイルの例を示す図。
【図６】ページレイアウト文書データのあるページについて、各リンクファイルごとのリネーム前の名称とリネーム後の名称とリネーム後のデータ形式とを格納したテキストファイルの例を示す図。
【図１】
2006268634.tif 000003
【図２】
2006268634.tif 000004
【図３】
2006268634.tif 000005
【図４】
2006268634.tif 000006
【図５】
2006268634.tif 000007
【図６】
2006268634.tif 000008